(57)【要約】【課題】  受信状態等も考慮しながら、チャンネルスキャンに受信装置の放送局の設定を可能にする地上デジタル放送受信装置を提供することを目的とする。【解決手段】  この発明の地上デジタル放送受信装置は、チューナ部１２と、チューナ部１２に与えるチャンネル情報を切り替えてチャンネルをスキャンするスキャン手段と、チャンネルごとに受信可能か否か判定する判定手段と、前記スキャン手段からチューナ部１２に与えるチャンネル情報の切り替え時間を設定するスキャン時間設定手段とを備える制御部１０と、判定手段で受信可能なチャンネルの物理チャンネル情報を格納する記憶部１８と、スキャン手段からチューナ部１２に与えるチャンネル情報の切り替え時間を設定するスキャン時間設定手段とを有する。スキャン時間設定手段にて設定される時間によりスキャン手段がチャンネル情報を切り替えてチューナ部１２へ与え、チャンネルスキャンが行われる。【選択図】  図１
2008227899.tif 000002
【特許請求の範囲】
【請求項１】
チューナ手段と、このチューナ手段に与えるチャンネル情報を切り替えてチャンネルをスキャンするスキャン手段と、チャンネルごとに受信可能か否か判定する判定手段と、前記判定手段で受信可能なチャンネルの物理チャンネル情報を格納する記憶手段と、前記スキャン手段から前記チューナ手段に与えるチャンネル情報の切り替え時間を設定するスキャン時間設定手段と、を備え、前記スキャン時間設定手段にて設定される時間により前記スキャン手段がチャンネル情報を切り替えてチューナ手段へ与え、チャンネルスキャンが行われることを特徴とする地上デジタル放送受信装置。
【請求項２】
前記スキャン手段は、スキャン時間が経過するより前に前記判定手段により、チャンネルが受信可能と判断されると、前記チューナ手段へチャンネル情報を切り替えて与えることを特徴とする請求項１に記載の地上デジタル放送受信装置。
【請求項３】
前記判定手段にて受信可能と判断するまでの時間を算出する時間算出手段を更に備え、この算出した時間に基づき、前記スキャン時間設定手段の設定時間が選択されることを特徴とする請求項１または２に記載の地上デジタル放送受信装置。
【請求項４】
前記判定手段は、受信状態により放送局の存在を確認する手段と、復調処理により所定の信号を得たか否か判定する手段とを備え、前記所定の信号を取得するとスキャン時間を長く設定し、前記記憶手段へ物理チャンネルを格納後、スキャン時間をスキャン時間設定手段にて設定される時間に戻すことを特徴とする請求項１ないし３のいずれか１項に記載の地上デジタル受信装置。
【請求項５】
前記算出手段より算出した時間とスキャン時間設定手段にて設定された時間を比較し、短い時間をスキャン時間として設定することを特徴とする請求項２に記載の地上デジタル受信装置。
【請求項６】
前記スキャン時間設定手段の設定時間を物理チャンネル毎に設定することを特徴とする請求項１または２に記載の地上デジタル放送受信装置。
【発明の詳細な説明】
【技術分野】
【０００１】
この発明は、地上デジタル放送受信装置に関し、特に、車載用や携帯端末など移動体に搭載される地上デジタル放送受信装置に好適なものである。
【背景技術】
【０００２】
地上デジタル放送は、ＵＨＦ（Ｕｌｔｒａ−Ｈｉｇｈ  Ｆｒｅｑｕｅｎｃｙ）帯を用い、その物理チャンネルは、１３チャンネルから６２チャンネルまでとなる。地上デジタル放送を放送する放送局は放送エリア毎に異なり、使用されている電波の周波数帯域及び物理チャンネルも異なる。
【０００３】
そこで、地上デジタルテレビを受信する場合には、まず最初に地域設定するかもしくは周波数を全局スキャンする必要がある。なぜならば、初期状態の受信装置においては、現在の受信環境で受信できる放送波が不明であるからである。従って、これを知るために現在の地域を設定するか、もしくは周波数を全局スキャンして受信できる放送波チャンネルリストを設定するためのチャンネルスキャンが行われる。
【０００４】
従来のチャンネルスキャン機能は、１３チャンネルから６２チャンネルの範囲で、１チャンネル毎に一定間隔でチューニングを行い、検索したチャンネルをチャンネルリストに登録する機能である。
【０００５】
このチャンネルスキャンの問題としては、チャンネルスキャンにかかる時間がかなり必要になることである。例えば、１チャンネルあたりの判定時間を３秒とすると、３秒×５０チャンネル分＝１５０秒必要とする。その間ユーザが待たされるという問題があった。
【０００６】
家庭の固定型の受信装置では受信環境が大きく変化しないため、一旦、上記の設定を行えば以降再度設定する必要は殆ど無い。しかし、移動体に設置される受信装置では、受信環境が刻々と変化するため、何度もチャンネルリストを更新する必要がある。
【０００７】
チャンネルスキャンに要する時間を短縮するために、チューニング時間を短くすることが考えられる。
【０００８】
一方、受信信号が一定以上の品質を有するチャンネル番号を受信可能チャンネル候補として仮登録する予備スキャン処理を行うことによって、チャンネル情報の登録作業時間を短縮することが提案されている（例えば、特許文献1参照）。
【特許文献１】特開２００２−２１８３３５号公報
【発明の開示】
【発明が解決しようとする課題】
【０００９】
しかし、安易にチューニング時間を短くすると、受信状態の悪い環境では全くチャンネルが検索できなくなるという問題が生じる。また、上記した特許文献１のものにおいても受信状態の悪い環境では、スキャンが上手く行えないという問題は解消されない。
【００１０】
この発明は、受信状態等も考慮しながら、チャンネルスキャンに受信装置の放送局の設定を可能にする地上デジタル放送受信装置を提供することを目的とする。
【課題を解決するための手段】
【００１１】
この発明の地上デジタル放送受信装置は、チューナ手段と、このチューナ手段に与えるチャンネル情報を切り替えてチャンネルをスキャンするスキャン手段と、チャンネルごとに受信可能か否か判定する判定手段と、前記判定手段で受信可能なチャンネルの物理チャンネル情報を格納する記憶手段と、前記スキャン手段から前記チューナ手段に与えるチャンネル情報の切り替え時間を設定するスキャン時間設定手段と、を備え、前記スキャン時間設定手段にて設定される時間により前記スキャン手段がチャンネル情報を切り替えてチューナ手段へ与え、チャンネルスキャンが行われることを特徴とする。
【００１２】
また、前記スキャン手段は、スキャン時間が経過するより前に前記判定手段により、チャンネルが受信可能と判断されると、前記チューナ手段へチャンネル情報を切り替えて与えるように構成するとよい。
【００１３】
更に、この発明は、前記判定手段にて受信可能と判断するまでの時間を算出する時間算出手段を更に備え、この算出した時間に基づき、前記スキャン時間設定手段の設定時間が選択されるように構成することができる。
【００１４】
また、この発明は、前記判定手段は、受信状態により放送局の存在を確認する手段と、復調処理により所定の信号を得たか否か判定する手段とを備え、前記所定の信号を取得するとスキャン時間を長く設定し、前記記憶手段へ物理チャンネルを格納後、スキャン時間をスキャン時間設定手段にて設定される時間に戻すように構成できる。
【００１５】
また、この発明は、前記算出手段より算出した時間とスキャン時間設定手段にて設定された時間を比較し、短い時間をスキャン時間として設定するように構成できる。
【００１６】
また、この発明は、前記スキャン時間設定手段の設定時間を物理チャンネル毎に設定するように構成してもよい。
【発明の効果】
【００１７】
以上のように、この発明は、設定するスキャン時間を変更できるので、受信環境等を考慮して、状態が良ければスキャン時間の設定を短くすることにより、チャンネルスキャンに要する時間が短くなるため、視聴可能になるまでの時間を大幅に短縮できる。また、電波状態などが悪い場合には、スキャン時間を長く選択することで、視聴できるチャネルの検索の精度を上げることも可能である。
【００１８】
また、この発明は、判定手段にて受信可能と判断するまでの時間を算出する時間算出手段を更に備え、この算出した時間に基づき、前記スキャン時間設定手段の設定時間を選択することで、受信環境に適したスキャン時間を選択することができる。
【００１９】
また、この発明は、前記スキャン時間設定手段の設定時間を物理チャンネル毎に設定するように構成することで、周波数割り当てを考慮して、スキャン時間を設定でき、ヒット率の高いチャンネルリストを作成することができる。
【発明を実施するための最良の形態】
【００２０】
この発明の実施の形態について図面を参照しながら詳細に説明する。なお、図中同一または相当部分には同一符号を付し、説明の重複を避けるためにその説明は繰返さない。
【００２１】
図１は、この実施形態おける地上デジタル放送受信装置の構成を示すブロック図である。
【００２２】
この実施形態おける地上デジタル放送受信装置１は、携帯端末や自動車などの移動体に搭載されて使用するもので、制御部１０、チューナ部１２、デマルチプレックス（ＤＥＭＵＸ）１３、ディスプレイ３１、スピーカ３２からなる出力部３０及びテンキー、タッチパネルで構成される入力部３３を含んで構成されている。
【００２３】
地上デジタル放送受信装置１は、放送方式（伝送レート）が異なる複数の番組の信号が多重化された地上デジタル放送、即ち、同時に送信される固定向けデジタル放送と移動体向けデジタル放送を受信することができる、なお、移動体向け地上デジタル放送だけを受信できるように構成しても良い。
【００２４】
地上デジタル放送は、１チャンネルを１３個のセグメントに分割するとともに、それを最大３つの階層（Ａ階層、Ｂ階層、Ｃ階層）にグループ化して階層毎に異なる放送パラメータを設定することが可能な方式（階層伝送方式）により送信されている。１チャンネル内に携帯受信向け放送のための帯域、例えば、Ａ階層の１セグメントが確保され、残りの１２セグメントが移動体向けのＢ階層、固定向けのＣ階層に割り当てられる。Ａ階層、Ｂ階層、Ｃ階層の順でビットレートが高くなっており、Ａ階層により受信される番組の映像が最も低品質となり、Ｃ階層により受信される番組の映像が最も高品質となる。
【００２５】
出力部３０は、ＬＣＤ（Liquid Crystal Display）などにより構成されるディスプレイ３１及びスピーカ３２が含まれている。
【００２６】
入力部３３は、キーボードや各種機能ボタン、ディスプレイ３１の表示面と一体化して設けられるタッチパネルなどのポインティングデバイスが設けられる。
【００２７】
制御部１０は、内部にＣＰＵ、ＲＡＭ等を有し、ＲＯＭ１６に格納されたプログラムに基づき、各種機能を実行し、後述する各回路を制御する。
【００２８】
放送局からの電波はアンテナ１１により受信し、受信した電波がチューナ部１２に与えられる。このチューナー部１２は、制御部１０から与えられる選局制御信号に応じて、アンテナ１１により受信される所定のチャンネル周波数に同調して、中間周波数に変換して増幅する。チューナ部１２は、例えば中間周波数の信号レベルに基づいて地上デジタル放送信号のレベル変化（受信電界強度）を検出することができる。また、チューナ部１２は、地上デジタル放送信号を復調し、誤り検出及び訂正を行った後、復号したトランスポートストリーム（ＴＳ（Transport Stream）)信号をデマルチプレックス（ＤＥＭＵＸ）１３へ出力する。
【００２９】
この実施形態におけるチューナ部１２は、誤り訂正前後のビットエラー率（ＢＥＲ）を検出することができ、現在の受信レベル（ｃ／ｎ比）やＢＥＲなどを受信状態情報として制御部１０へ出力する。なお、受信状態情報には、ｃ／ｎ比、ＢＥＲだけでなく増幅時のＡＧＣ（Auto Gain Control）による利得値を含めても良い。復調、誤り訂正等は、例えば、ＩＳＤＢ−Ｔ（Integrated Services Digital Broadcasting -Terrestrial：地上デジタル放送）デコーダにより、復調、誤り訂正等の処理を施し、ＴＳ信号として出力される。復調は、ＯＦＤＭ（Orthogonal Frequency Division Multiplexing）に基づいて行われる。
【００３０】
また、チューナ部１２は、後述するように、記憶部１８に格納されたチャンネルリストに従い制御部１０の指示に応じてチャンネルをスキャンする。
【００３１】
制御部１０は、地上デジタル放送受信装置１全体の制御を司るもので、ＲＯＭ１６に記憶されたプログラムを実行することで、放送受信機能を制御する。この制御部１０は、複数階層で同一番組が放送（サイマル放送）されている場合に、一時的な受信状態の変化に影響されないようにして、最適な放送方式（伝送レート）によって送信されている番組を出力するように制御するように構成することもできる。
【００３２】
ＲＯＭ１６は、地上デジタル放送受信装置１により提供される各機能を実現するためのプログラムなどが記憶されるもので、放送受信機能を実現するためのプログラムには、後述するチャンネルのスキャン、チャンネルリストの更新制御を実行するためのプログラムが含まれている。ＲＯＭ１６は、例えば、フラッシュメモリ、ハードディスクが用いられ、上記したプログラムが格納される他、番組情報（ＥＰＧ）、地域対象放送局リスト等が格納される。
【００３３】
デマルチプレックス（ＤＥＭＵＸ）１３は、チューナ部１２から出力されたＴＳを、各階層毎のＴＳに分離して出力する。デマルチプレックス（ＤＥＭＵＸ）１３では、多重されている番組を構成する映像データ及び音声データを分離抽出する他、付加情報として多重伝送されるＮＩＴ（Network Information Table）等を分離抽出する。
【００３４】
デマルチプレックス（ＤＥＭＵＸ）１３で分離された映像データは、制御部１０へ与えられ、制御部１０内のＲＡＭに格納されたのち、映像デコーダ１４に供給される。この実施形態においては、符号化映像データは、Ｈ．２６４データとしている。映像デコーダ１４は、Ｈ．２６４の符号化映像データを復号し、非圧縮のデジタル映像信号を出力する。この非圧縮のデジタル映像信号がビデオ（Ｖｉｄｅｏ）出力部から出力され、出力装置３０のディスプレイ３１に与えられる。また、符号化映像データがＭＰＥＧ（Moving Picture Experts Group）データである場合には、映像デコーダ１４は、ＭＰＥＧの復号が実行され、非圧縮のデジタル映像信号を出力する。
【００３５】
出力装置３０に与えられる非圧縮のデジタル映像信号は、ディスプレイ３１の表示形式に対応したビデオ信号にエンコードされ、ディスプレイ３１にて表示される。
【００３６】
ディスプレイ３１には、例えば、制御部１０から供給されるＧＵＩ形式のＯＳＤ（On Screen Display）情報を重畳して表示される。制御部１０からは、操作ボタン、電子プログラム画面、メニュー画面その他の文字情報等が与えられる。
【００３７】
また、ＴＳ分離部１３で分離された音声データは、バス４０を介して音声デコーダ１５に与えられ、音声デコーダ１５でＡＣＣ復号処理がなされて非圧縮のデジタル音声データとして出力装置３０のスピーカ３２に与えられる。音声データは図示しないＤＡＣ（Digital Analog Converter）でデジタル信号からアナログ信号に変換された後、所定の音量に制御されスピーカ３２から出力される。
【００３８】
デマルチプレックス（ＤＥＭＵＸ）１３で分離抽出されたＮＩＴ等の付加情報は、制御部１０に与えられ、制御部１０は、ＮＩＴ等の付加情報により、チャンネル番号、物理チャンネル等のチャンネルスキャン情報を記憶部１８に格納する。
【００３９】
記憶部１８には、放送局情報リストとしてのチャンネルのリストが格納されている。このチャンネルのリストは、ＲＯＭ１６に格納されている放送局リストからチャンネルスキャンに基づき更新される。
【００４０】
図２は、この発明の制御部１０の機能を示すブロック図であり、制御部１０は、チャンネルのスキャン手段１０ａと、判定手段１０ｂと、時間算出手段１０ｃ、チャンネルリスト作成手段１０ｄ、スキャン時間設定手段１０ｅとしての機能を備え、ＲＯＭ１６に格納されたプログラムに基づき各機能手段としての動作を行う。
【００４１】
スキャン手段１０は、スキャンする物理チャンネルをチューナ部１２に与えるもので、スキャン設定手段１０ｅで設定されたスキャン時間に応じて物理チャンネルを切り替えてチューナ部１２に与えるように制御する。判定手段１０ｂは、チューナ部１２およびデマルチプレックス（ＤＥＭＵＸ）１３から与えられる信号に基づき、受信できるチャンネルか否か判断する。時間算出手段１０ｃは、判定手段１０ｂにて受信可能と判断するまでの時間を算出する。チャンネルリスト作成手段１０ｄは受信可能な物理チャンネルに基づきチャンネルリストを作成して、記憶部１８に格納させる。スキャン時間設定手段１０ｅは、入力部３３から与えられる指示信号または、時間算出手段１０ｅに基づき設定される時間により、スキャン時間（チューニング時間）（ｔ）を設定するものである。このスキャン時間（ｔ）により、スキャン手段１０ａの物理チャンネル情報の切り替る時間が設定される。
【００４２】
図３は、関東の広域放送圏を示すチャンネルリストであり、親局、中継局との関係が示されている。記憶部１８には、移動体が位置する地域において受信可能なチャンネルのリストが格納される。移動体が関東の広域放送圏に位置する場合は、図３に示すチャンネルリストが格納され、近畿に位置する時には、近畿のチャンネルリストが格納されることになる。
【００４３】
この発明は、チャンネルスキャンのスキャン時間をユーザのニーズに応じて設定したり、チャンネルスキャンした検索時間を基に変更して再設定することを可能とし、受信状態等も考慮しながら、チャンネルスキャンにより、放送局の設定を可能にするものである。
【００４４】
まず、スキャン時間をユーザのニーズに応じて設定する場合につき、図４ないし図７を参照して説明する。
【００４５】
図４は、スキャン時間設定画面の一例を示す模式図である。図５は、スキャン時間設定動作を示すフロー図である。
【００４６】
入力部３３からユーザがスキャン時間の設定モードを選択すると、制御部１０は、ディスプレイ３１にスキャン時間設定を示す画面を表示させる。この実施形態では、「１：速さ優先」、「２：通常」、「３：検索率優先」のモードを設けている。「１：速さ優先」のモードはチャンネルスキャンの検索時間を最も速く行うもので、このモードを選択した場合には、スキャン時間は、５００ｍｓに設定される。この場合には、検索が受信状態によっては、全ての受信可能なチャンネルを上手く検索できない場合もあるが、検索に要する時間を短くし、受信できるチャンネルを素早く検索したいときなどには有効である。「２：通常」のモードは、通常の受信状態であれば全てのチャンネルを検索できる時間に設定している。このモードを選択した場合には、スキャン時間は、２０００ｍｓに設定される。「３：検索率優先」のモードは、検索を最優先にするモードで、受信状態が少々悪くてもチャンネルを検索できる時間に設定している。このモードを選択した場合には、スキャン時間は、３０００ｍｓに設定される。なお、この設定時間は一例である。
【００４７】
スキャン時間設定動作を図５のフロー図に従い説明する。ユーザが、ディスプレイ３１を見て、ユーザの希望するモードを入力部３３から選択ボタンを押して入力する。制御部１０は、入力部３３入力された入力値を判断する（Ｓ１０１）。制御部１１が入力値が「１」と判断すると、スキャン時間を速さ優先である５００ｍｓに設定し、設定動作を終了する（Ｓ１０２）。制御部１０が入力値が「２」と判断すると、スキャン時間を通常の速さである２０００ｍｓに設定し、設定動作を終了する（Ｓ１０３）。制御部１０が入力値が「３」と判断すると、スキャン時間を検索率優先である３０００ｍｓに設定し、設定動作を終了する（Ｓ１０４）。
【００４８】
続いて、制御部１０は、スキャン時間の設定動作の後、ユーザが設定したスキャン時間（ｔ）に従いチャンネルスキャン動作に入る。この第１の実施形態におけるチャンネルスキャン動作を図６に従い説明する。
【００４９】
まず、ユーザの地上波デジタル受信装置への操作により、チャンネルスキャンが開始されると、ユーザが設定したスキャン時間（ｔ秒）が制御部１０内のＲＡＭに設定される（Ｓ１）。このスキャン時間は、チャンネルスキャンにおける１つのチャンネルに与えるチューニングに費やす時間である。スキャン時間（ｔ秒）を設定後、チャンネルスキャンが開始され、スキャン対象のチャンネルとして物理チャンネル番号「１３」のチャンネルが選局される（Ｓ２）。これは、地上デジタル放送はＵＨＦ帯の１３チャンネルから６２チャンネルで放送されるため、物理チャンネル番号の初期値が「１３」として設定される。
【００５０】
制御部１０は、チューナ部１２にチューニング要求を出し、初期値の物理チャンネル１３に基づき、チューナ部１２が選局を開始し、チューニング動作に入る。そして、スキャン時間を測定するタイマを動作させる（Ｓ３）。物理チャンネル番号「１３」のチャンネルが選局されると、その物理チャンネルの地上デジタル放送が存在するかどうかを受信状態により判定される（Ｓ４）。この判定は、通常、この物理チャンネルでのｃ／ｎ比が取得されることにより行われ、このｃ／ｎ比が設定された閾値以上の場合はこの物理チャンネル「１３」の地上デジタル放送が存在すると判定される（Ｓ４の「ＹＥＳ」）。
【００５１】
その後、受信した地上デジタル放送の放送信号から変調方式が最も単純なＴＭＣＣ（Transmission and Multiplexing Configuration Control）情報が取得されたかどうか判定される（Ｓ５）。ステップＳ５で取得されたと判定されたとき（Ｓ５の「ＹＥＳ」）は、さらにＮＩＴ（Network Information Table）情報が取得されたかどうか判定される（Ｓ６）。これらの情報も取得されたと判定されたとき（Ｓ６の「ＹＥＳ」）は、この物理チャンネル「１３」の地上デジタル放送が受信可能であると判定され、チューニングロックされ、制御部１０は、この物理チャンネル「１３」を記憶部１８に登録する（Ｓ７）。
【００５２】
一方、ステップＳ４の判定で地上デジタル放送が存在しないと判定されたとき（Ｓ４の「ＮＯ」）、ステップＳ５の判定でＴＭＣＣ情報が取得されていないと判定されたとき（Ｓ５の「ＮＯ」）、またはステップＳ６の判定でＮＩＴなどの情報が取得されていないと判定されたとき（Ｓ６の「ＮＯ」）は、測定しているタイマーの時間が設定したスキャン時間（ｔ）より経過したか否か判断され（Ｓ８）、経過していないとき（Ｓ８の「ＮＯ」）は、ステップＳ４に戻り、チューニングが繰り返される。
【００５３】
ステップＳ７で登録処理が完了したとき、ステップＳ８の判定で設定したスキャン時間（ｔ）が経過したとき（Ｓ８の「ＹＥＳ」）、スキャン対象の物理チャンネルが「６２」であるかどうかが判定される（Ｓ９）。ここでは物理チャンネルは「１３」であるのでステップＳ１０に進み、（Ｓ９の「ＮＯ」）、物理チャンネル番号が１増やされ（Ｓ１０）、スキャン対象の物理チャンネル番号に「１４」が設定されてステップＳ３に戻る。尚、チューニングロックが設定されたスキャン時間（ｔ）まで達していないときに完了した場合には、スキャン時間（ｔ）を経過するまで待機することなく、ステップＳ１０において、物理チャンネル番号が直ちに１増やされる。
【００５４】
このステップＳ３からステップＳ１０の処理は、物理チャンネル番号が「６２」になるまで繰り返される。
【００５５】
ステップＳ９において、物理チャンネルが「６２」であり、全ての物理チャンネルをスキャンしたと判定されたときは（Ｓ９の「ＹＥＳ」）、チャンネルスキャンの処理が終了される。
【００５６】
上記のように、チャンネルスキャン動作を行うことによって、どこの物理チャンネルでどの放送局の放送が行われているかが認識され、記憶部１８に受信可能なチャンネルリストが作成される。
【００５７】
なお、チャンネル登録の際、選定された域内放送局の地上デジタル放送に含まれるＮＩＴのＴＳ情報記述子に含まれるremote_control_key_idにより、この放送局がリモコンのポジションキー「１」から「１２」のキーのどこに割り付けられるかが指定される。
【００５８】
上記のチャンネルスキャンの結果、制御部１０のチャンネル作成手段の機能により、図７に示すように、受信された放送局、物理チャンネル、remote_control_key_id、及び様々な情報がテーブル形式で記憶部１８に格納される。
【００５９】
上記した第１の実施形態においては、設定するスキャン時間を「１：速さ優先」にすると、チャンネルスキャンに要する時間が短くなるため、視聴可能になるまでの時間を大幅に短縮できる。また、電波状態などをユーザが考慮し、スキャン時間を「２：通常」や「３：検索率優先」のモードを選択することで、視聴できるチャネルの検索の精度を上げることも可能である。
【００６０】
上記した第１の実施形態においては、ＮＩＴなどの情報が取得されるまでの間で、設定したスキャン時間（ｔ）を経過すると、そのチャンネルは登録せずに、次のチャンネルサーチに進むことになる。しかし、ＮＩＴは、受信信号を復調処理を施して得られるＴＳ信号から抽出されるものである。このため、ｃ／ｎ比が設定された閾値以上であるにもかかわらずタイムアウトになり、チャンネル登録ができない場合が発生する。特に、「１：速さ優先」にした場合には、この可能性がある。しかし、ｃ／ｎ比が設定された閾値以上で、受信した地上デジタル放送の放送信号からＴＭＣＣ情報が取得された場合には、受信可能なチャンネルである場合が多い。このようなチャンネルを登録しない場合には視聴できるチャンネル数を減らすことになる。そこで、この発明の第２の実施形態は、ｃ／ｎ比が設定された閾値以上で、受信した地上デジタル放送の放送信号からＴＭＣＣ情報が取得された場合には、該当するチャンネルをできるだけ登録できるように構成したものである。
【００６１】
ＴＭＣＣ信号は、ＮＩＴより先に得ることができ、所定のチャンネルを受信してから得られるまでの時間はあまり要しない。例えば、３００ｍｓ程度で十分に取得できる。電波状態などの関係でエラーが発生した場合には、ＮＩＴを得るまでに「１：速さ優先」ではタイムアウトになる場合がある。そこで、この第２の実施形態は、ｃ／ｎ比が設定された閾値以上で、受信した地上デジタル放送の放送信号からＴＭＣＣ情報が取得された場合には、スキャン設定時間（ｔ）を「３：検索率優先」モードに変更するものである。
【００６２】
この第２の実施形態における動作を図８に従い説明する。図６に示す第１の実施形態と同様に、ユーザが設定したスキャン時間（ｔ秒）が制御部１０内のＲＡＭに設定される（Ｓ１）。スキャン時間（ｔ秒）を設定後、チャンネルスキャンが開始され、スキャン対象のチャンネルとして物理チャンネル番号「１３」のチャンネルが選局される（Ｓ２）。
【００６３】
制御部１０は、チューナ部１２にチューニング要求を出し、初期値の物理チャンネル１３に基づき、チューナ部１２が選局を開始し、チューニング動作に入る。そして、スキャン時間を測定するタイマを動作させる（Ｓ３）。物理チャンネル番号「１３」のチャンネルが選局されると、その物理チャンネルの地上デジタル放送が存在するかどうか判定される（Ｓ４）。この判定は、ｃ／ｎ比が取得されることにより行われ、このｃ／ｎ比が設定された閾値以上の場合はこの物理チャンネル「１３」の地上デジタル放送が存在すると判定される（Ｓ４の「ＹＥＳ」）。
【００６４】
その後、受信した地上デジタル放送の放送信号からＴＭＣＣ情報が取得されたかどうか判定される（Ｓ５）。ステップＳ５で取得されたと判定されたとき（Ｓ５の「ＹＥＳ」）は、ステップＳ１で設定されたスキャン時間（ｔ）に関係なく、この第２の実施形態の特徴である検索優先モードのスキャン時間に設定を変更する（Ｓ２０）。これは、ｃ／ｎ比が設定された閾値以上で、受信した地上デジタル放送の放送信号からＴＭＣＣ情報が取得された場合には、受信可能なチャンネルである場合が多いので、ＮＩＴの取得に時間を要してもチャンネル設定をすることを可能にするためである。
【００６５】
続いて、ＮＩＴ情報が取得されたかどうか判定される（Ｓ６）。このＮＩＴ情報の判定におけるタイムアウト時間は、この第２の実施形態においては、検索優先モードに対応する時間となっている。これらの情報も取得されたと判定されたとき（Ｓ６の「ＹＥＳ」）は、この物理チャンネル「１３」の地上デジタル放送が受信可能であると判定され、チューニングロックされ、制御部１０は、この物理チャンネル「１３」を記憶部１８に登録する（Ｓ７）。
【００６６】
一方、ステップＳ４の判定で地上デジタル放送が存在しないと判定されたとき（Ｓ４の「ＮＯ」）、ステップＳ５の判定でＴＭＣＣ情報が取得されていないと判定されたとき（Ｓ５の「ＮＯ」）、またはステップＳ６の判定でＮＩＴなどの情報が取得されていないと判定されたとき（Ｓ６の「ＮＯ」）は、測定しているタイマーの時間が設定したスキャン時間（ｔ）より経過したか否か判断され（Ｓ８）、経過していないとき（Ｓ８の「ＮＯ」）は、ステップＳ４に戻り、チューニングが繰り返される。
【００６７】
なお、このステップＳ８における判断は、ステップＳ５の判定でＴＭＣＣ情報が取得されていない場合には、ユーザが設定したスキャン時間で判断され、ステップＳ５の判定でＴＭＣＣ情報が取得された後は、ステップＳ２０で設定した検索優先モードのスキャン時間で判断される。
【００６８】
ステップＳ７で登録処理が完了したとき、ステップＳ８の判定で設定したスキャン時間（ｔ）が経過したとき（Ｓ８の「ＹＥＳ」）、スキャン対象の物理チャンネルが「６２」であるかどうかが判定される（Ｓ９）。ここでは物理チャンネルは「１３」であるのでステップＳ１０に進み、（Ｓ９の「ＮＯ」）、物理チャンネル番号が１増やされ（Ｓ１０）、スキャン対象の物理チャンネル番号に「１４」が設定される。そして、スキャン時間をステップＳ１で設定したスキャン時間から変更されていた場合には、ステップＳ１で設定したスキャン時間に戻し（Ｓ２１）、ステップＳ３に戻る。
【００６９】
このステップＳ３からステップＳ１０に至るまでの処理は、物理チャンネル番号が「６２」になるまで繰り返される。
【００７０】
ステップＳ９において、物理チャンネルが「６２」であり、全ての物理チャンネルをスキャンしたと判定されたときは（Ｓ９の「ＹＥＳ」）、チャンネルスキャンの処理が終了される。
【００７１】
上記した第２の実施形態においては、受信可能なチャンネルを漏らすことなく検索が行える。また、受信ができないと該当する放送局がある場合などには、ステップＳ４の判定で地上デジタル放送が存在しないと判定されるか、あるいは、ステップＳ５の判定でＴＭＣＣ情報が取得されていないと判定され、スキャン時間が変更されないので、チャンネルスキャンに費やす時間をあまり増やすことがなく、チャンネルスキャンの検索率を向上させることができる。
【００７２】
次に、この発明の第３の実施形態につき、図９のフロー図に従い説明する。第３の実施形態は、受信状態の良し悪しによって、最適なスキャン時間を自動的に設定できるように構成した地上デジタル受信装置である。
【００７３】
図９に示すように、制御部１０は、機器に初期設定されたスキャン時間またはユーザの設定動作により設定された時間（ｔ）に従いチャンネルスキャン動作に入る。
【００７４】
まず、ユーザのテレビジョン受信機への操作によりチャンネルスキャンが開始されると、初期設定またはユーザが設定したスキャン時間（ｔ秒）が制御部１０内のＲＡＭに設定される（Ｓ３１）。通常は、検索率を重視することから、「３：検索率優先」モードに対応するスキャン時間が設定される。スキャン時間（ｔ秒）を設定後、チャンネルスキャンが開始され、スキャン対象のチャンネルとして物理チャンネル番号「１３」のチャンネルが選局される（Ｓ３２）。
【００７５】
制御部１０は、チューナ部１２にチューニング要求を出し、初期値の物理チャンネル１３に基づき、チューナ部１２が選局を開始し、チューニング動作に入る。そして、スキャン時間を測定するタイマを動作させる（Ｓ３３）。
【００７６】
物理チャンネル番号「１３」のチャンネルが選局されると、その物理チャンネルの地上デジタル放送が存在するかどうか判定される（Ｓ３４）。この判定は、ｃ／ｎ比が取得されることにより行われ、このｃ／ｎ比が設定された閾値以上の場合はこの物理チャンネル「１３」の地上デジタル放送が存在すると判定される（Ｓ３４の「ＹＥＳ」）。
【００７７】
その後、受信した地上デジタル放送の放送信号からＴＭＣＣ情報が取得されたかどうか判定される（Ｓ３５）。ステップＳ３５で取得されたと判定されたとき（Ｓ３５の「ＹＥＳ」）は、さらにＮＩＴ情報が取得されたかどうか判定される（Ｓ３６）。これらの情報も取得されたと判定されたとき（Ｓ３６の「ＹＥＳ」）は、この物理チャンネル「１３」の地上デジタル放送が受信可能であると判定され、チューニングロックされ、制御部１０は、この物理チャンネル「１３」を記憶部１８に登録する（Ｓ３７）。そして、制御部１０は、チューニングがロックするまでの時間をタイマーより求め、チューニング時間が測定される（Ｓ３８）。
【００７８】
一方、ステップＳ３４の判定で地上デジタル放送が存在しないと判定されたとき（Ｓ３４の「ＮＯ」）、ステップ３５の判定でＴＭＣＣ情報が取得されていないと判定されたとき（Ｓ３５の「ＮＯ」）、またはステップＳ３６の判定でＮＩＴなどの情報が取得されていないと判定されたとき（Ｓ３６の「ＮＯ」）は、測定しているタイマーの時間が設定したスキャン時間（ｔ）より経過したか否か判断され（Ｓ４１）、経過していないとき（Ｓ４１の「ＮＯ」）は、ステップＳ３４に戻り、チューニングが繰り返される。
【００７９】
ステップＳ３７で登録処理し、ステップＳ３８でチューニング時間の測定が完了すると、ステップＳ３９で測定したチューニング時間の結果と設定されているスキャン時間とが比較される。比較の結果、チューニングに要した時間がスキャン時間より小さいと判断されると（Ｓ３９の「ＹＥＳ」）、設定したスキャン時間より早くチューニングロックできるので、設定したスキャン時間を新たな時間に変更する（Ｓ４０）。この変更は、測定したチューニングロックまで要した時間に基づき、制御回路１０が予め決められている複数のスキャン時間のなかから測定時間より大きく且つ測定時間に一番近い時間が選択される。例えば、第１の実施形態のように、３種類のスキャン時間が、５００ｍｓ、２０００ｍｓ、３０００ｍｓの３つのスキャン時間が設定されているとき、測定したチューニングロックまでの時間が６００ｍｓかかったとすると、２０００ｍｓのスキャン時間を選択し、このスキャン時間に変更する。測定したチューニングロックまでの時間が４００ｍｓかかったとすると、５００ｍｓのスキャン時間を選択し、このスキャン時間に変更する。
【００８０】
続いて、ステップＳ４１の判定で設定したスキャン時間（ｔ）が経過したとき（Ｓ４１の「ＹＥＳ」）、あるいは、ステップＳ４０でスキャン時間を変更したとき、ステップＳ３９において、チューニングに要した時間がスキャン時間より大きいとき（Ｓ３９の「ＹＥＳ」）、スキャン対象の物理チャンネルが「６２」であるかどうかが判定される（Ｓ４２）。ここでは物理チャンネルは「１３」であるのでステップＳ４３に進み、（Ｓ４２の「ＮＯ」）、物理チャンネル番号が１増やされ（Ｓ４３）、スキャン対象の物理チャンネル番号に「１４」が設定されてステップＳ３３に戻る。
【００８１】
このステップＳ３３からステップＳ４３の処理は、物理チャンネル番号が「６２」になるまで繰り返される。
【００８２】
ステップＳ４２において物理チャンネルが「６２」であり、全ての物理チャンネルをスキャンしたと判定されたときは（Ｓ４２の「ＹＥＳ」）、チャンネルスキャンの処理が終了される。
【００８３】
上記のように、チャンネルスキャンを行うことによって、受信状態の良し悪しよって最適なスキャン時間を設定し、記憶部１８に受信可能なチャンネルリストが作成される。
【００８４】
なお、上記した第３の実施形態において、スキャン時間を選択する動作を、初回のチューニング動作で算出したスキャン時間に基づいて、設定を変更し、それ以後は設定したスキャン時間を変更せずに動作を行うように構成しても良い。受信環境が変化しない場合には、１回の測定動作で適したスキャン時間を得ることができる。この場合には、制御動作を簡略化するために、１回の測定動作で適したスキャン時間を得るように構成すればよい。
【００８５】
また、上記した第３の実施形態においては、制御回路１０が予め決められている複数のスキャン時間のなかから測定時間より大きく測定時間に一番近い時間が選択するように構成したが、制御回路１０が測定時間に基づいて、その都度スキャン時間を設定するように構成しても良い。例えば、チューニングロックまでの時間が６００ｍｓの場合には、７００ｍｓ、チューニングロックまでの時間が４００ｍｓの場合には、５００ｍｓなど、スキャン時間を１００ｍｓ程度、測定した時間より多くしたものをスキャン時間に設定するように構成しても良い。このように構成することで、より受信状態の良し悪しによって最適で且つスキャン時間を長くすることなく最適なスキャン時間を設定することができる。
【００８６】
上記した第３の実施形態においては、設定するスキャン時間を一度速い時間に設定すると、第１の実施形態と同様に、ＮＩＴなどの情報が取得されるまでの間で、設定したスキャン時間（ｔ）を経過すると、そのチャンネルは登録せずに、次のチャンネルサーチに進むことになる。そこで、第４の実施形態は、上記第２の実施形態と同様に、ｃ／ｎ比が設定された閾値以上で、受信した地上デジタル放送の放送信号からＴＭＣＣ情報が取得された場合には、該当するチャンネルをできるだけ登録できるように構成したものである。この第４の実施形態は、ｃ／ｎ比が設定された閾値以上で、受信した地上デジタル放送の放送信号からＴＭＣＣ情報が取得された場合には、スキャン設定時間（ｔ）を最も長いスキャン時間に設定変更するものである。
【００８７】
この発明の第４の実施形態につき、図１０のフロー図に従い説明する。図１０に示すように、ユーザのテレビジョン受信機への操作によりチャンネルスキャンが開始されると、「２：通常」モードに対応するスキャン時間（例えば、２０００ｍｓ）（ｔ秒）が制御部１０内のＲＡＭに設定される（Ｓ３１）。スキャン時間（ｔ秒）を設定後、チャンネルスキャンが開始され、スキャン対象のチャンネルとして物理チャンネル番号「１３」のチャンネルが選局される（Ｓ３２）。
【００８８】
制御部１０は、チューナ部１２にチューニング要求を出し、初期値の物理チャンネル１３に基づき、チューナ部１２が選局を開始し、チューニング動作に入る。そして、スキャン時間を測定するタイマを動作させる（Ｓ３３）。
【００８９】
物理チャンネル番号「１３」のチャンネルが選局されると、その物理チャンネルの地上デジタル放送が存在するかどうか判定される（Ｓ３４）。このｃ／ｎ比が設定された閾値以上の場合はこの物理チャンネル「１３」の地上デジタル放送が存在すると判定される（Ｓ３４の「ＹＥＳ」）。
【００９０】
その後、受信した地上デジタル放送の放送信号からＴＭＣＣ情報が取得されたかどうか判定される（Ｓ３５）。ステップＳ３５で取得されたと判定されたとき（Ｓ３５の「ＹＥＳ」）は、ステップＳ３１で設定されたスキャン時間（ｔ）に関係なく、最もスキャン時間の長い、検索優先モードのスキャン時間（３０００ｍｓ）に変更する（Ｓ５０）。これは、ｃ／ｎ比が設定された閾値以上で、受信した地上デジタル放送の放送信号からＴＭＣＣ情報が取得された場合には、受信可能なチャンネルである場合が多いので、ＮＩＴの取得に時間を要してもチャンネル設定をすることを可能にするためである。
【００９１】
続いて、ＮＩＴ情報が取得されたかどうか判定される（Ｓ３６）。これらの情報も取得されたと判定されたとき（Ｓ３６の「ＹＥＳ」）は、この物理チャンネル「１３」の地上デジタル放送が受信可能であると判定され、チューニングロックされ、制御部１０は、この物理チャンネル「１３」を記憶部１８に登録する（Ｓ３７）。そして、制御部１０は、チューニングがロックするまでの時間をタイマーより算出し、チューニング時間の測定時間を求める（Ｓ３８）。
【００９２】
一方、ステップＳ３４の判定で地上デジタル放送が存在しないと判定されたとき（Ｓ３４の「ＮＯ」）、ステップ３５の判定でＴＭＣＣ情報が取得されていないと判定されたとき（Ｓ３５の「ＮＯ」）、またはステップＳ３６の判定でＮＩＴなどの情報が取得されていないと判定されたとき（Ｓ３６の「ＮＯ」）は、タイマーで求めているチューニング時間がスキャン時間（ｔ）より経過したか否か判断され（Ｓ３９）、経過していないとき（Ｓ３９の「ＮＯ」）は、ステップＳ３４に戻り、チューニング動作が繰り返される。
【００９３】
なお、このステップＳ４１における判断は、ステップＳ３５の判定でＴＭＣＣ情報が取得されていない場合には、設定したスキャン時間で判断され、ステップＳ３５の判定でＴＭＣＣ情報が取得された後は、ステップＳ５０で設定した検索優先モードのスキャン時間で判断される。
【００９４】
ステップＳ３７で登録処理、ステップＳ３８でチューニング時間の算出が完了すると、ステップＳ３９で算出したチューニング時間の結果と設定されているスキャン時間とが比較される。比較の対象となっているスキャン時間は、最も長いスキャン時間であるので、通常はチューニングに要した時間が小さいと判断される。チューニングに要した時間がスキャン時間より小さいと判断されると（Ｓ３９の「ＹＥＳ」）、設定したスキャン時間より早くチューニングロックできるので、設定したスキャン時間を新たな時間に変更する（Ｓ４０）。この変更は、測定したチューニングロックまで要した時間に基づき、制御回路１０がスキャン時間を１００ｍｓ程度、測定した時間より多くしたものをスキャン時間に設定し、このスキャン時間に変更する。
【００９５】
続いて、ステップＳ４１の判定で設定したスキャン時間（ｔ）が経過したとき（Ｓ４１の「ＹＥＳ」）、あるいは、ステップＳ４０でスキャン時間を変更したとき、ステップＳ３９において、チューニングに要した時間がスキャン時間より大きいとき（Ｓ３９の「ＹＥＳ」）、スキャン対象の物理チャンネルが「６２」であるかどうかが判定される（Ｓ４２）。ここでは物理チャンネルは「１３」であるのでステップＳ４３に進み、（Ｓ４２の「ＮＯ」）、物理チャンネル番号が１増やされ（Ｓ４３）、スキャン対象の物理チャンネル番号に「１４」が設定されてステップＳ３３に戻る。
【００９６】
このステップＳ３３からステップＳ４３に至るまでの処理は、物理チャンネル番号が「６２」になるまで繰り返される。
【００９７】
ステップＳ４２において物理チャンネルが「６２」であり、全ての物理チャンネルをスキャンしたと判定されたときは（Ｓ４２の「ＹＥＳ」）、チャンネルスキャンの処理が終了される。
【００９８】
上記した第４の実施形態においては、受信の良し悪しに最適なスキャン時間で且つ受信可能なチャンネルを漏らすことなく検索が行える。また、受信ができない放送局の場合などには、ステップＳ３４の判定で地上デジタル放送が存在しないと判定されるか、あるいは、ステップＳ３５の判定でＴＭＣＣ情報が取得されていないと判定され、スキャン時間が変更されないので、チャンネルスキャンに費やす時間をあまり増やすことがなく、チャンネルスキャンの検索率を向上させることができる。
【００９９】
次に、この発明の第５の実施形態につき説明する。現在の周波数割り当てでは、物理チャンネル前半（１３チャンネル〜３０チャンネル）に周波数割り当てが集中している。逆に、後半（３１チャンネル〜６２チャンネル）には、周波数割り当てが殆どないのが現状である。そこで、この第５の実施形態では、周波数割り当てを考慮して、スキャン時間を設定し、ヒット率の高いチャンネルリストを作成するものである。例えば、物理チャンネル前半を「検索率優先」、物理チャンネル後半を「速さ優先」にすることにより、短時間でヒット率の高いチャンネルリストを作成することができる。
【０１００】
図１１は、この第５の実施形態におけるスキャン時間設定を行う場合に表示画面を示す模式図である。この第５の実施形態は、物理チャンネルを予め３つのグループに分けている。第１のグループ、設定１は（１３ｃｈ〜２０ｃｈ）、第２のグループ、設定２は（２１ｃｈ〜３０ｃｈ）、第３のグループ、設定３は（３１チャンネル〜６２ｃｈ）である。この第５の実施形態は、これら設定されたグループを選択し、各グループにそれぞれスキャン時間を設定するものである。
【０１０１】
次に、この第５の実施形態につき、図１２及び図１３のフロー図に従い説明する。
【０１０２】
図１１の設定画面に基づき、ユーザがスキャン時間を設定すべきグループ番号が押されるまで待機し、選択ボタンが押されると（Ｓ６１）、押されたボタンが設定１か否か判断される（ステップＳ６２）。設定１のボタンが押されたと判断すると（Ｓ６２の「ＹＥＳ］）、ステップＳ６３に進み、スキャン時間設定動作に入る（Ｓ６３）。スキャン時間設定動作は、上述した図４及び図５に示す動作を行うもであり、「速さ優先」、「通常」、「検索率優先」のモードに基づくスキャン時間を設定するものである。この実施形態においては、設定１のグループ（１３ｃｈ〜２０ｃｈ）は、周波数割り当てが集中しているので、検索率優先モードを選択し、設定１のグループはスキャン時間３０００ｍｓに設定される。そして、ステップＳ６１に戻る。
【０１０３】
続いて、選択ボタンが押され（Ｓ６１）、押されたボタンが設定２の場合には（ステップＳ６２からステップＳ６４に進む。そして、設定２のボタンが押されたと判断すると（Ｓ６４の「ＹＥＳ］）、ステップＳ６３に進み、スキャン時間設定動作に入る（Ｓ６３）。この実施形態においては、設定２のグループ（２１ｃｈ〜３０ｃｈ）も周波数割り当てが集中しているので、検索率優先モードを選択し、設定２のグループはスキャン時間３０００ｍｓに設定される。そして、ステップＳ６１に戻る。
【０１０４】
続いて、選択ボタンが押され（Ｓ６１）、押されたボタンが設定３の場合には（ステップＳ６２、Ｓ６４の「ＮＯ］）、ステップＳ６５に進む。
【０１０５】
ステップＳ６５では、押されたボタンが設定３か否か判断される。設定３のボタンが押されたと判断すると（Ｓ６５の「ＹＥＳ］）、ステップＳ６３に進み、スキャン時間設定動作に入る（Ｓ６３）。この実施形態においては、設定３のグループ（３１ｃｈ〜６２ｃｈ）は、周波数割り当てが殆どないので、速さ優先モードが選択され、設定３のグループはスキャン時間５００ｍｓに設定される。そして、ステップＳ６１に戻る。
【０１０６】
動作終了のボタンが押されると、ステップＳ６６まで進み、動作が終了する。
【０１０７】
次に、この第５の実施形態におけるチャンネルスキャン動作を図１３のフロー図に従い説明する。
【０１０８】
続いて、制御部１０は、図１２に示す設定グループ毎に設定したスキャン時間に従いチャンネルスキャン動作に入る。
【０１０９】
まず、ユーザのテレビジョン受信機への操作によりチャンネルスキャンが開始されると、ユーザが設定したグループ毎のスキャン時間（ｔ秒）が制御部１０内のＲＡＭに設定される（Ｓ７１）。この第５の実施形態においては、設定１及び設定２は、検索率優先モードである３０００ｍｓにスキャン時間（ｔ）が設定され、設定３は、速さ優先モードである５００ｍｓにスキャン時間（ｔ）が設定される。チャンネルスキャンが開始動作が選択されると、まず、スキャン時間（ｔ秒）を検索優先モードの対応する３０００ｍｓに設定する。その後、チャンネルスキャンが開始され、スキャン対象のチャンネルとして物理チャンネル番号「１３」のチャンネルが選局される（Ｓ７２）。
【０１１０】
制御部１０は、チューナ部１２にチューニング要求を出し、初期値の物理チャンネル１３に基づき、チューナ部１２が選局を開始し、チューニング動作に入る。そして、スキャン時間を測定するタイマを動作させる（Ｓ７３）。物理チャンネル番号「１３」のチャンネルが選局されると、その物理チャンネルの地上デジタル放送が存在するかどうかを受信状態により判定される（Ｓ７４）。この判定は、この物理チャンネルでのｃ／ｎ比が取得されることにより行われ、このｃ／ｎ比が設定された閾値以上の場合はこの物理チャンネル「１３」の地上デジタル放送が存在すると判定される（Ｓ７４の「ＹＥＳ」）。
【０１１１】
その後、受信した地上デジタル放送の放送信号からＴＭＣＣ情報が取得されたかどうか判定される（Ｓ７５）。ステップＳ７５で取得されたと判定されたとき（Ｓ７５の「ＹＥＳ」）は、さらにＮＩＴ情報が取得されたかどうか判定される（Ｓ７６）。これらの情報も取得されたと判定されたとき（Ｓ７６の「ＹＥＳ」）は、この物理チャンネル「１３」の地上デジタル放送が受信可能であると判定され、チューニングロックされ、制御部１０は、この物理チャンネル「１３」を記憶部１８に登録する（Ｓ７７）。
【０１１２】
一方、ステップＳ７４の判定で地上デジタル放送が存在しないと判定されたとき（Ｓ７４の「ＮＯ」）、ステップＳ７５の判定でＴＭＣＣ情報が取得されていないと判定されたとき（Ｓ７５の「ＮＯ」）、またはステップＳ７６の判定でＮＩＴなどの情報が取得されていないと判定されたとき（Ｓ７６の「ＮＯ」）は、測定しているタイマーの時間が設定したスキャン時間（ｔ）より経過したか否か判断され（Ｓ８１）、経過していないとき（Ｓ８１の「ＮＯ」）は、ステップＳ７４に戻り、チューニングがチューニングが繰り返される。
【０１１３】
ステップＳ７７で登録処理が完了したとき、ステップＳ７８に進み、登録したチャンネルが設定した同じスキャン時間のグループ内の最後のチャンネルであるか否か判断する。この実施形態では、登録したグループが設定１または設定２のグループのチャンネルは検索優先モードに対応するスキャン時間であり、設定３のグループのチャンネルは速さ優先モードに対応するスキャン時間である。このため、設定グループ２の最後のチャンネルの後は、スキャン時間を変更する必要があるので、ステップＳ７８において、同じスキャン時間のグループ内の最後のチャンネルであるか否か判断する。ここでは物理チャンネルは「１３」であるのでステップＳ７９に進み（Ｓ７８の「ＮＯ」）、物理チャンネル番号が１増やされ（Ｓ７９）、スキャン対象の物理チャンネル番号に「１４」が設定されてステップＳ３に戻る。尚、チューニングロックが設定されたスキャン時間（ｔ）まで達していないときに完了した場合には、スキャン時間（ｔ）を経過するまで待機することなく、ステップＳ１０において、物理チャンネル番号が直ちに１増やされる。このステップＳ７３からステップＳ７９の処理は、物理チャンネル番号が設定２の最後のチャンネル「３０」になるまで繰り返される。
【０１１４】
ステップＳ７８において、同じスキャン時間のグループ内の最後のチャンネル、即ち、この実施形態においては、物理チャンネルが「３０」になると（Ｓ７８の「ＹＥＳ」）、ステップＳ８０に進む。ステップＳ８０では、グループ３に設定したスキャン時間である速さ優先モードのスキャン時間（５００ｍｓ）にスキャン時間（ｔ）を設定し、ステップＳ８２に進む。
【０１１５】
そして、スキャン対象の物理チャンネルが「６２」であるかどうかが判定される（Ｓ８２）。ここでは物理チャンネルは「３０」であるのでステップＳ８３に進み、（Ｓ８２の「ＮＯ」）、物理チャンネルが「６２」に達していない場合には、物理チャンネル番号が１増やされ（Ｓ８３）、ステップＳ７３に戻る。
【０１１６】
物理チャンネルが設定３のグループ、物理チャンネルが「３１」以降は、ステップＳ７４の判定で地上デジタル放送が存在しないと判定されたとき、ステップＳ７５の判定でＴＭＣＣ情報が取得されていないと判定されたとき、またはステップＳ７６の判定でＮＩＴなどの情報が取得されていないと判定されたときに、ステップＳ８１では、測定しているタイマーの時間がステップＳ８０で設定したスキャン時間（この実施形態では、５００ｍｓ）より経過したか否か判断される。
【０１１７】
ステップＳ８１で経過していないと判断されると（Ｓ８１の「ＮＯ」）は、ステップＳ７４に戻り、チューニングがチューニングが繰り返される。
【０１１８】
このステップＳ７３からステップＳ８３の処理は、物理チャンネル番号が「３１」以降「６２」になるまで繰り返される。
【０１１９】
ステップＳ８２において、物理チャンネルが「６２」であり、全ての物理チャンネルをスキャンしたと判定されたときは（Ｓ８２の「ＹＥＳ」）、チャンネルスキャンの処理が終了される。
【０１２０】
上記のように、チャンネルスキャン動作を行うことによって、物理チャンネル前半を「検索率優先」、物理チャンネル後半を「速さ優先」にすることにより、短時間でヒット率の高いチャンネルリストを作成して、記憶部１８に受信可能なチャンネルリストが作成される。
【０１２１】
上記した第５の実施形態においては、物理チャンネルを予め、設定１（１３ｃｈ〜２０ｃｈ）、設定２（２１ｃｈ〜３０ｃｈ）、設定３（３１チャンネル〜６２ｃｈ）と、予め３つのグループに分けている。このグループはユーザにより、自由に設定することができるように構成できる。グループの設定例につき、図１１、図１４及び図１５を参照して説明する。
【０１２２】
図１１に示す、設定１（１３ｃｈ〜２０ｃｈ）、設定２（２１ｃｈ〜３０ｃｈ）、設定３（３１チャンネル〜６２ｃｈ）が装置にデフォルトに設定されているとする。この設定を変更する場合を説明する。スキャン時間の変更モードを選択すると、図１１に示す表示がディスプレイ３１に表示される。そして、グループの設定内容を変更する場合には、変更する設定グループを選択する。設定グループを選択すると、図１４に示すように、
１：「スキャン時間設定」、２：「開始チャンネル設定」、３：「終了チャンネル設定」、４：「名称変更画面表示」がディスプレイ３１に表示される。
【０１２３】
ユーザは、これらの表示からユーザが希望する動作を選択することになる。ユーザが「１」の選択ボタンを押すと、上述したように、選択した設定グループのスキャン時間設定の表示がされ（Ｓ９２）、表示に従って、スキャン時間を設定することができる。
【０１２４】
ユーザが「２」の選択ボタンを押すと、「開始チャンネル設定画面表示」される（Ｓ９３）。この開始チャンネル設定とは、ユーザが選択した設定グループの開始チャンネルを変更するモードである。このモードにより、表示等の指示に従い指示動作を行うことで、ユーザは設定グループの開始チャンネルを変更することができる。
【０１２５】
ユーザが「３」の選択ボタンを押すと、「終了チャンネル設定画面表示」される（Ｓ９４）。この終了チャンネル設定とは、ユーザが選択した設定グループの終了チャンネルを変更するモードである。このモードにより、表示等の指示に従い指示動作を行うことで、ユーザは設定グループの終了チャンネルを変更することができる。
【０１２６】
ユーザが「４」の選択ボタンを押すと、「名称変更画面表示」される（Ｓ９５）。この名称変更画面設定とは、ユーザが処理した設定グループの名前を変える、例えば、設定１で選択し、内容を変更したものを「東京」などに変更し、異なった名前で設定情報を登録する場合に用いられる。
【０１２７】
これらの各モードを用い、例えば、設定１０（１３ｃｈ〜３１ｃｈ）、設定２０（３１チャンネル〜６２ｃｈ）等に設定することができる。そして、これら設定したグループにそれぞれ、スキャン時間を設定することで、第５の実施形態に示す、チャンネルスキャン動作が行える。
【０１２８】
尚、上記した実施形態においては、地上デジタル放送が存在するかどうかの判定を、受信状態のうち、ｃ／ｎ比が閾値以上か否かで判断しているが、誤り訂正前後のビットエラー率（ＢＥＲ）など他の受信状態情報を用いてもよい。
【０１２９】
また、上記した実施形態においては、移動体に搭載するデジタル受信装置について説明したが、移動体に限らず、家庭用の地上デジタル受信装置にもこの発明は適用できる。
【０１３０】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【０１３１】
この発明のデジタル放送受信装置は、特にモバイルに用いて好適である。
【図面の簡単な説明】
【０１３２】
【図１】この発明の実施形態におけるデジタル放送受信装置の構成を示すブロック図である。
【図２】この発明の実施形態における制御部の機能を示す機能ブロック図である。
【図３】関東のチャンネルリストを示す説明図である。
【図４】この発明の実施形態におけるスキャン時間設定画面の一例を示す模式図である。
【図５】この発明の第１の実施形態におけるスキャン時間設定動作を示すフロー図である。
【図６】この発明の第１の実施形態おけるデジタル放送受信装置の動作を示すフローチャートである。
【図７】この発明の実施形態におけるチャンネルスキャンにより作成したチャンネルリストを示す説明図である。
【図８】この発明の第２の実施形態おけるデジタル放送受信装置の動作を示すフローチャートである。
【図９】この発明の第３の実施形態おけるデジタル放送受信装置の動作を示すフローチャートである。
【図１０】この発明の第４の実施形態おけるデジタル放送受信装置の動作を示すフローチャートである。
【図１１】この発明の第５の実施形態におけるスキャン時間設定を行う場合の表示画面を示す模式図である。
【図１２】この発明の第５の実施形態におけるスキャン時間設定動作を示すフロー図である。
【図１３】この発明の第５の実施形態おけるデジタル放送受信装置の動作を示すフローチャートである。
【図１４】この発明の第５の実施形態における各設定動作を行う場合の表示画面を示す模式図である。
【図１５】この発明の第５の実施形態における各設定動作を示すフロー図である。
【符号の説明】
【０１３３】
１  デジタル放送受信装置、１０  制御部、１１  アンテナ  １２  チューナ部、１３  デマルチプレックス、１４  映像デコーダ、１５  音声デコーダ、１６  ＲＯＭ、１８  記憶部、３０  出力装置、３１  ディスプレイ、３２  スピーカ、３３  入力部。
【図１】
2008227899.tif 000003
【図２】
2008227899.tif 000004
【図３】
2008227899.tif 000005
【図４】
2008227899.tif 000006
【図５】
2008227899.tif 000007
【図６】
2008227899.tif 000008
【図７】
2008227899.tif 000009
【図８】
2008227899.tif 000010
【図９】
2008227899.tif 000011
【図１０】
2008227899.tif 000012
【図１１】
2008227899.tif 000013
【図１２】
2008227899.tif 000014
【図１３】
2008227899.tif 000015
【図１４】
2008227899.tif 000016
【図１５】
2008227899.tif 000017